(57)【特許請求の範囲】
【請求項１】
グリッパ製織機への緯糸（２）の挿入のために使用可能なグリッパヘッド（１，１０１，２０１）であって、
グリッパヘッド（１，１０１，２０１）には、糸クランプ部（３，１０３，２０３）が取り付けられており、
糸クランプ部（３，１０３，２０３）は、静止クランプ部分（４，１０４，２０４）および可動クランプ部分（５，１０５，２０５）を備え、
可動クランプ部分（５，１０５，２０５）は、所定の力で静止クランプ部分（４，１０４，２０４）を押圧することができ、
グリッパヘッド（１，１０１，２０１）には、第１中空体（６，１０６，２０６）がさらに取り付けられており、
第１中空体（６，１０６，２０６）の体積は、ガス媒体による内圧の下で拡大可能であり、
第１中空体（６，１０６，２０６）は、可動クランプ部分（５，１０５，２０５）に作用するクランプ部分力が第１中空体（６，１０６，２０６）の体積の拡大によって生成可能になるよう、可動クランプ部分（５，１０５，２０５）に接続されており、
グリッパヘッド（１，１０１，２０１）には、バルブ（９，１０９，２０９）がさらに取り付けられており、
バルブ（９，１０９，２０９）は、ガス媒体がバルブ（９，１０９，２０９）を通って第１中空体（６，１０６，２０６）へ搬送され得るよう、第１中空体（６，１０６，２０６）に接続されており、
グリッパヘッド（１，１０１，２０１）には、リターン手段（７，１０７，２０７）が設けられており、
リターン手段（７，１０７，２０７）は、リターン手段を介して可動クランプ部分（５，１０５，２０５）に作用するリターン力が、クランプ部分力に対抗するよう、可動クランプ部分（５，１０５，２０５）に接続されており、
グリッパヘッド（１，１０１，２０１）には、第２中空体（８，１０８，２０８）が取り付けられており、
外部の制御力が第２中空体（８，１０８，２０８）に加えられ、このことが、第２中空体（８，１０８，２０８）の体積の低減を引き起こすよう、ガス媒体の内圧が生成可能となっており、
前記バルブ（９，１０９，２０９）は、バルブ（９，１０９，２０９）が開放されているときには２つの中空体（６，８，１０６，１０８，２０６，２０８）の間でガス媒体の交換が発生し、バルブ（９，１０９，２０９）が閉鎖されているときにはガス媒体が第１中空体（６，１０６，２０６）から出ることができないよう、第１中空体および第２中空体（６，８，１０６，１０８，２０６，２０８）に接続されており、
バルブ（９，１０９，２０９）には閉鎖手段（１０，１１０）が取り付けられており、この閉鎖手段（１０，１１０）は、閉鎖手段（１０，１１０）によって引き起こされる閉鎖力が、バルブ（９，１０９，２０９）を開放しようとする力に対抗するように、バルブ（９，１０９，２０９）に取り付けられており、
バルブ（９，１０９，２０９）は、信号または力の非接触での伝達によって作動可能であるよう構成されている、ことを特徴とする、グリッパヘッド（１，１０１，２０１）。
【請求項２】
可動クランプ部分（５，２０５）が、クランプ部分力によって静止クランプ部分（４，２０４）に対して押圧されることを特徴とする、請求項１に記載のグリッパヘッド（１，２０１）。
【請求項３】
可動クランプ部分（１０５）が、リターン力によって静止クランプ部分（１０４）に対して押圧されることを特徴とする、請求項１に記載のグリッパヘッド（１０１）。
【請求項４】
２つの中空体（６，８，１０６，１０８，２０６，２０８）のうちの少なくとも一方が、拡大可能なベローズまたは空気圧シリンダーとして構成されていることを特徴とする、請求項１乃至３のいずれか一項に記載のグリッパヘッド（１，１０１，２０１）。
【請求項５】
リターン手段（７，１０７，２０７）が、永久磁石、スプリングまたは両者の組合せとして構成されていることを特徴とする、請求項１乃至４のいずれか一項に記載のグリッパヘッド（１，１０１，２０１）。
【請求項６】
可動クランプ部分（５，１０５，２０５）が、軸の周りでグリッパヘッド（１，１０１，２０１）に回転可能に支持されたクランプレバーとして構成されており、
前記リターン力が、前記軸の周りでの可動クランプ部分（５，１０５，２０５）の回転に対抗することを特徴とする、請求項１乃至５のいずれか一項に記載のグリッパヘッド（１，１０１，２０１）。
【請求項７】
閉鎖手段（１０，１１０）が、バルブスプリングとして構成されており、
前記バルブスプリングは、バルブ（９，１０９，２０９）が、前記閉鎖力に対抗するガス媒体が所定の圧力になるまで閉鎖されたままであるように寸法決めされていることを特徴とする、請求項１乃至６のいずれか一項に記載のグリッパヘッド（１，１０１，２０１）。
【請求項８】
グリッパヘッド（１，１０１，２０１）には、制御レバー（１１，１１１，２１１）が移動可能に取り付けられており、
制御レバーは、制御レバー（１１，１１１，２１１）によって外部の制御力が第２中空体（８，１０８，２０８）に加えられ、これによって第２中空体（８，１０８，２０８）の体積の低減が引き起こされるように、第２中空体（８，１０８，２０８）に作用的に接続されていることを特徴とする、請求項１乃至７のいずれか一項に記載のグリッパヘッド（１，１０１，２０１）。
【請求項９】
制御レバー（１１，１１１，２１１）は、軸の周りでグリッパヘッド（１，１０１，２０１）において回転可能に支持されており、
前記制御力に対抗する制御レバースプリングが設けられていることを特徴とする、請求項８に記載のグリッパヘッド（１，１０１，２０１）。
【請求項１０】
請求項１乃至９のいずれか一項に記載のグリッパヘッド（１，１０１，２０１）を少なくとも１つ有するグリッパ製織機であって、
バルブ開口装置（１２）が設けられており、
前記バルブ開口装置（１２）は、グリッパヘッド（１，１０１，２０１）の走行経路の領域に取り付けられた少なくとも１つのアクチュエータ（１３，１１３，２１３）を備えており、これによって、バルブを解放する作動力がバルブ（９，１０９，２０９）に非接触で加えられ得るようになっており、
制御装置が設けられており、
前記制御装置によって、経糸によって形成された杼口の外側のグリッパヘッド（１，１０１，２０１）の位置で、第２中空体（８，１０８，２０８）の体積の低減を引き起こす外部の制御力が第２中空体（８，１０８，２０８）に加えられ得るようになっていることを特徴とする、グリッパ製織機。
【請求項１１】
アクチュエータ（１３，１１３，２１３）が、制御可能な電磁石、永久磁石またはこれらの組合せからなっていることを特徴とする、請求項１０に記載のグリッパ製織機。
【請求項１２】
制御装置は、少なくとも１つのカムディスク、カムディスクによって駆動されるローラーレバー、および制御レール（１４，１１４）を備え、
カムディスクは、製織機のメインドライブに接続されており、
制御レール（１４，１１４）とローラーレバーとの間の接続は、グリッパヘッド（１，１０１，２０１）に向かう方向における制御レール（１４，１１４）の動作ストロークの位置および／または大きさが作業者によって調整可能になるように構成されていることを特徴とする、請求項１０または１１に記載のグリッパ製織機。
【請求項１３】
制御装置は、少なくとも１つの電気機械式または空気圧式で駆動される制御レール（１４，１１４）を備えており、
製織サイクルにおける様々な時間点に関して、グリッパヘッド（１，１０１，２０１）に向かう方向における制御レール（１４，１１４）の動作ストロークの位置および／または大きさが、制御装置の電子式手段を介して自由にプログラム可能になっていることを特徴とする、請求項１０または１１に記載のグリッパ製織機。
【請求項１４】
２つのグリッパヘッド（１，１０１，２０１）が設けられており、
制御装置が、杼口の外側の位置において、２つのグリッパヘッド（１，１０１，２０１）の各々に１つずつ配置されており、
バルブ開口装置（１２）の少なくとも１つのアクチュエータ（１３，１１３）が、マシンセンタの領域において、２つのグリッパヘッドの各々に配置されていることを特徴とする、請求項１０乃至１３のいずれか一項に記載のグリッパ製織機。
【請求項１５】
杼口の外側の位置において、少なくとも１つのさらなるアクチュエータ（２１３）が、２つのグリッパヘッド（１，１０１，２０１）のうちの少なくとも一方に配置されていることを特徴とする、請求項１４に記載のグリッパ製織機。
【発明の詳細な説明】
【技術分野】
【０００１】
本発明は、グリッパ製織機への緯糸の挿入のためのグリッパヘッド、並びに、そのようなグリッパヘッドを有するグリッパ製織機に関する。
【背景技術】
【０００２】
第１グリッパによって緯糸が製織機の一側から杼口を経てマシンセンタに対する製織機幅の半分にわたって搬送され、そして第２グリッパへ移送される、というグリッパ製織機が知られている。第２グリッパは、緯糸を、杼口を介して製織機幅の第２の半分にわたって、製織機の他側まで搬送する。
【０００３】
例えば、ＤＥ１７１０２９２Ａ１は、そのようなグリッパヘッドを有するグリッパを示している。この文献は、引き渡し用グリッパおよび受け取り用グリッパからなる一対のグリッパヘッドを記載しており、引き渡し用グリッパおよび受け取り用グリッパによって、緯糸が杼口の中に挿入される。グリッパは、グリッパヘッドおよびレピアロッドからなっており、グリッパヘッドおよびレピアロッドはそれぞれ、伝達（transmission）によって、交互に摺動によって杼口の中に進められ、また引き戻される。グリッパヘッドは、糸クランプ部を用いて緯糸を保持するよう利用される。糸クランプ部は、静止クランプ部分および可動クランプ部分からなっている。可動クランプ部分は、クランプレバーとして構成されており、また可動クランプ部分は、所定の力で静止クランプ部分へ押圧される。当該力は、グリッパヘッドに取り付けられたスプリングによって加えられる。製織機上の制御デバイスによって、可動クランプ部分、すなわちクランプレバーは、走行製織作業（runnning weaving operation）において開放または閉鎖される。これによって、緯糸の把持または解放が可能になる。
【０００４】
ＤＥ１７１０２９２Ａ１による制御装置は、マシンセンタ（機械中心点）における、緯糸の非常に信頼性の高い移送を可能にする。しかしながら、そのようなグリッパ製織機におけるより高い回転速度に対する要望がまだ存在している。
【０００５】
先行技術においては、グリッパヘッドの糸クランプ部が、様々な物理的な原理によるアクチュエータによって非接触で制御されるという、より高い製造能力をどのようにして実現するかという点に関する提言がなされている。
【０００６】
ＧＢ２０５９４５５Ａは、電気的に制御された磁石が、グリッパヘッドのエレメントを拘束することに関して作用し、それは、スプリング力の下でクランプレバーを開放または閉鎖する、という、基礎的な下地になる機能的な原理を有する装置を提案している。
【０００７】
ＤＥ１０２５２０５３Ａは、拘束エレメントを有する、スプリングで負荷がかけられたクランプレバーを示しており、拘束エレメントは、クランプレバーを開放するために圧電によって解放される。
【０００８】
上述の両方の場合において、糸クランプ部のクランプ力は、運転装置上の様々な製織用糸の特徴に対して調整可能または順応可能なものではない。
【０００９】
ＥＰ９８４０８９Ａ１（図１１および１２）は、運転装置上で空気圧によってグリッパヘッドの糸クランプ部のクランプ力の調整が達成されるというシステムを示している。このことのため、グリッパヘッドに取り付けられたベローズが、内圧を受けている。引き渡し用グリッパヘッドから受け取り用グリッパヘッドへ緯糸を移送するための、マシンセンタにおける糸クランプ部の制御は、しかしながら、この形態において可能ではない。
【発明の概要】
【発明が解決しようとする課題】
【００１０】
緯糸のための糸クランプ部が、非接触で、かつ、マシンセンタであっても緯糸の高い移送効率をもって制御され得るというグリッパヘッドを製造することを目的とする。
【課題を解決するための手段】
【００１１】
上述の目的は、独立請求項の特徴を有するグリッパヘッド、並びに、そのようなグリッパヘッドを備えるグリッパ製織機によって達成される。
【００１２】
それ自体は既知の糸クランプ部であって、静止クランプ部分および可動クランプ部分を備える糸クランプ部が、グリッパ製織機への緯糸の挿入のために、本発明によるグリッパヘッドに取り付けられている。ガスの内圧のもとで、すなわち圧縮可能な媒体のもとで体積が拡大される第１中空体が、グリッパヘッドにさらに取り付けられている。好ましくは、上記媒体として空気が用いられる。第１中空体は、中空体の体積の変動または変化が可動クランプ部分への力を及ぼすよう、可動クランプ部分に接続されている。以下、このようにして可動クランプ部分に及ぶ力のことを、クランプ部分力と称する。さらに、リターン手段が、グリッパヘッド上に設けられており、また可動クランプ部分に接続されている。リターン手段は好ましくは、スプリングとして構成されている。リターン手段のリターン力は、第１中空体の体積の拡大によって可動クランプに及ぼされるクランプ部分力に対抗するよう可動クランプ部分に及ぶ。
【００１３】
本発明によれば、上述の媒体と同一の媒体による内圧が生成され得る第２中空体が、グリッパヘッドに取り付けられている。この内圧を生成するため、外部力を第２中空体に及ぼすことが可能な手段が設けられており、これによって、第２中空体の体積の変動、すなわち低減を実現できるようになっている。このようにして及ぶ力は、以下、制御力と称される。
【００１４】
さらに、本発明によれば、グリッパヘッドにバルブが取り付けられている。このバルブは、第１中空体および第２中空体に、２つの中空体の間での圧力の均一化がバルブの開放によって生じることができるよう、接続されている。これによって、ガス媒体は、一方の中空体から他方の中空体へ向かうことができる。
【００１５】
バルブが閉鎖されている限り、ガス媒体は第１中空体から出ることができない。第１中空体に存在する内圧と、これによって引き起こされるクランプ部分力とが、維持される。さらに、閉鎖のための手段がバルブに取り付けられている。閉鎖手段により、バルブを開放する力に対抗する閉鎖力が生成される。好ましくは、このことのために、可動のバルブ本体がバルブの中に設けられている。例えば、バルブスプリングとして構成される閉鎖手段が、可動のバルブ本体に係合する。これによって、可動のバルブ本体が、バルブシートに対して押圧され、このことにより、バルブを介して案内されるガス媒体が通る開口部が閉鎖されたままとなる。
【００１６】
本発明によるグリッパヘッドの有利な形態においては、施行者によって適切に選択される閉鎖手段例えばバルブスプリングのための寸法決めが、バルブ本体に作用するガス媒体の圧力が所定の値を超えない限りにおいてバルブが閉鎖されたままであるということを確実にすることに役立つ。閉鎖手段はまた、バルブ内において弾性的に変形可能な膜として構成され得る。
【００１７】
本発明によれば、バルブは、信号または力の非接触での伝達によって作動可能なように、すなわち、開放可能または閉鎖可能なように、構成されている。
【００１８】
グリッパヘッドの外部で生成される磁気的な力がバルブ本体に作用するという形態が、好ましいものである。
【００１９】
しかしながら、その他の、より複雑なバルブシステムもまた考えられる。例えば、高周波の電磁気的な無線信号によって作動可能なバルブシステムが考えられる。
【００２０】
本発明によるグリッパヘッドは、引き渡し用グリッパヘッド並びに受け取り用グリッパヘッドとして構成され得る。
【００２１】
引き渡し用グリッパヘッドの好ましい形態において、糸クランプ部は、内圧の下で第１中空体によって可動クランプ部分に及ぼされるクランプ部分力によって閉鎖される。可動クランプ部分は、静止クランプ部分に対して押圧される。クランプ部分力が静まっているとき、糸クランプ部は、この形態による引き渡し用グリッパヘッドにおいて開放されている。なぜなら、可動クランプ部分に作用するリターン力が、クランプ部分力に対抗しているからである。
【００２２】
受け取り用グリッパヘッドの一形態において、引き渡し用グリッパヘッドに比べて力の効果が逆にされるようにリターン手段、可動クランプ部分および第１中空体が構成されている場合に、受け取り用グリッパヘッドの一形態が有利なものとして示されている。この場合、糸クランプ部はリターン力によって閉鎖され、ここで、糸クランプ部の２つのクランプ部分が、互いに押圧され、そして、糸クランプ部が、第１中空体のクランプ部分力によって開放される。
【００２３】
本発明によるグリッパヘッドのさらなる形態において、グリッパヘッドの第２中空体へ外部制御力を加えることが、制御レバーによって達成される。制御レバーは、制御力を第２中空体に加えることができるように、グリッパヘッドに取り付けられている。第２中空体は、その体積、すなわち内圧の低減を生成する。制御レバーは、関節式に、または弾性的に、グリッパヘッドにおいて支持され得る。有利な態様において、制御レバーは制御面を備えていてもよく、制御面を介して、力がグリッパヘッドの外側から制御レバーに加えられ得る。装置は、力を加えることが、グリッパヘッドが動作中のときにも可能なように構成されている。
【００２４】
本発明によるグリッパは、グリッパ製織機における使用のために設けられている。本発明における有利なさらなる発展形態において、このグリッパ製織機は、グリッパヘッドにおけるバルブの非接触での開放のためのバルブ開口装置を含んでいる。このことのため、１つまたは複数のアクチュエータが設けられており、アクチュエータによって、グリッパヘッドに取り付けられたバルブが作動可能になっている。本発明によれば、バルブの作動中にはグリッパヘッドに接触しないアクチュエータが設けられている。アクチュエータは、例えば、製織サイクルにおける所定の時点で、必要に応じて、グリッパ製織機における電子的な制御によって活動する電磁石であってもよい。アクチュエータの活動は、グリッパ製織機の杼口を通るグリッパヘッドの運動の間に生じることもできる。アクチュエータは、有利には、グリッパヘッドの走行経路の領域に、すなわち例えば走行経路の下方に取り付けられており、この走行経路では、経糸が製織機において案内される。アクチュエータの取り付けは、マシンセンタであってもよく、または、マシンの側部で、製織ウェブの経路の外側または杼口の外側であってもよい。糸の移送の間の、引き渡し用グリッパヘッドおよび受け取り用グリッパヘッドの開放および閉鎖が、アクチュエータの数および配置の適切な選択によって可能になる。
【００２５】
さらに、本発明によるグリッパヘッドを有するグリッパ製織機は、少なくとも１つの制御装置を含んでおり、この制御装置によって、制御力が、制御レールを介して、可能であれば製織サイクルにおける所定の時点で制御レバーを介して、第２中空体に加えられ得る。これによって、第２中空体における体積の低減が、およびそれとともに内圧の低減が、生じる。この力は、予め設定されていてもよく、若しくは、構造的な形態によって或いは作業者による調整によって特定されてもよい。その力は、製織動作中に変更可能であってもよい。この目的のため、本発明の有利な形態においては、制御力または制御ストロークの変更のため、電気機械式または空気圧式の手段が制御装置に備えられている。
【００２６】
グリッパ製織機とグリッパヘッドとの機能的な協働が、以下に、引き渡し用グリッパヘッドの例において説明される。それは、杼口の外側で緯糸をピックアップし、そして緯糸を、グリッパ製織機のマシンセンタに持っていき、ここで、緯糸が受け取り用グリッパヘッドへ移送される、というグリッパヘッドである。
【００２７】
製織動作において、杼口の外側の位置にある引き渡し用グリッパヘッドが、杼口の入口側に向かう方向における動作を始めるとき、可動クランプ部分を作動させるための第１中空体は、増大された内圧を未だ有しておらず、そして、可動クランプ部分はクランプ位置決め手段によって開放状態で保持されている。
【００２８】
緯糸がピックアップされる引き渡し用グリッパヘッドの位置において、グリッパ製織機に設けられている制御装置は、引き渡し用グリッパヘッドにおいて第２中空体内に内圧が生じるように作動される。
【００２９】
この内圧が所定の値を超えるとき、バルブが、バルブ本体に作用する閉鎖力に対抗して第２中空体内で圧縮された加圧エアによって開放される。
【００３０】
第２中空体内で圧縮されたエアは、バルブおよび加圧エアラインを通って第１中空体の中へ流れる。これによって、第１中空体の中に内圧が生じ、これが、第１中空体の体積を拡大させる。これによって、可動クランプ部分に力が及ぼされる。このクランプ部分力は、リターン手段のリターン力に対抗して可動クランプ部分が静止クランプ部分に対して押圧されることを導き、この結果、クランプ部分力およびリターン力から生じる保持力によって緯糸がクランプされる。次に、引き渡し用グリッパヘッドが、その前進動作によって、制御装置のワーク領域または範囲から出てくる。当然に、上述の制御力が第２中空体に働かないようにして制御装置が作動されてもよい。いずれの場合でも、第２中空体はこのとき、圧力の無い状態になっている。バルブスプリングは、バルブが閉鎖されたままであり、かつ第１中空体の内圧が可動クランプ部分の作動のために維持されるよう、寸法決めされている。クランプされた緯糸は、マシンセンタにおける、受け取り用グリッパヘッドへの糸の移送のための位置へ搬送され得る。
【００３１】
緯糸を引き渡し用グリッパヘッドへ移送するため、バルブが、マシンセンタに取り付けられたさらなるアクチュエータによって開放される。このことは、アクチュエータとグリッパヘッドとの間で非接触で生じる。従って、関与している構成要素の間で、機械的な摩耗は生じない。可動クランプ部分を作動させるための第１中空体の圧縮エアは、このとき、加圧されたエアラインおよびバルブを通って、この時点では圧力の無い状態の第２中空体の中へ逃げる。この結果として、可動クランプ部分は、リターン手段によるリターン力によって静止クランプ部分から解放され、そして糸クランプ部が開放される。緯糸は、このとき、受け取り用グリッパヘッドによって受け取られる。引き渡し用グリッパヘッドは、その後、開放された糸クランプ部とともに杼口から移動し、そして、製織サイクルが繰り返される。
【００３２】
引き渡し用グリッパヘッドが、緯糸を受け取り用グリッパヘッドへは移送せず、緯糸を杼口全体を通して搬送する、という装置形態もまた考えられる。説明される工程は、同一の意味で使用可能である。そのような場合において、バルブ開口装置のアクチュエータは、マシンセンタには取り付けられておらず、グリッパ製織機の杼口の出口側に取り付けられている。
【００３３】
本発明のさらなる形態において、リターン手段は、例えば、テンションスプリング、圧縮スプリングまたは曲がりスプリングとして構成されていてもよい。空気圧式または磁気式の効果的なスプリングエレメント、ならびに、スプリングおよび磁石の組合せもまた、リターン手段の形態として考えられる。
【００３４】
制御装置による制御力の生成は、例えば、静的な摺動ブロックガイドまたは制御レールを介しても達成され得る。この点に関して、グリッパヘッドにおける第２中空体および／または制御レバーは、対応する制御面または突合せ助走面（butting run-up surface）を備えており、この面は、グリッパヘッドの動作の間、静的な制御レールに対して隣接して延びており、これによって、グリッパヘッドに向かう方向における制御レールの活動的に制御された動作が生じることなく、力が、制御レールから突合せ助走面上に及ぼされる。
【００３５】
中空体の体積の変化は、外部から及ぶ力または外部へ及ぶ力に関係している。このような中空体は、好ましくは、拡大可能なベローズ、または空気圧シリンダーとして構成されている。中空体として、拡大可能なベローズを用いる場合、このベローズは、その弾性力のため、通常は既にリターン手段を含んでおり、リターン手段が、ベローズと可動クランプ部分との間の接触面を介してリターン力を加える。しかしながら、リターンスプリングが、別個の構成要素として、ベローズまたは空気圧シリンダーに統合されていてもよい。
【００３６】
電子的に作動される電磁石の代わりに、静的な永久磁石がアクチュエータとして用いられてもよく、このアクチュエータが、グリッパヘッドが磁石を通って動かされる時点でグリッパヘッドのバルブを開放する。永久磁石および電子的に作動可能な磁気コイルの組合せもまた可能である。
【００３７】
本発明は、以下、例示的な形態に関連して詳細に説明される。
【図面の簡単な説明】
【００３８】
【図１】図１は、バルブ開口装置および制御装置を有する引き渡し用グリッパヘッドとしての、本発明によるグリッパヘッドの第１の形態を示す斜視図。
【図２】図２は、図１の形態を上方から見た場合を示す平面図。
【図３】図３は、図１の形態をＡ−Ａに沿って見た場合を示す断面図であり、糸クランプ部は開放されており、グリッパヘッドの位置は杼口の外側になっている。
【図４】図４は、図３から、制御装置による作動で糸クランプ部が閉鎖された場合を示す断面図。
【図５】図５は、図１による形態を示す断面図であり、グリッパヘッドはマシンセンタにあり、バルブはバルブ開口装置によって開放されており、糸クランプ部は開放されている。
【図６】図６は、バルブ開口装置および制御装置を有する受け取り用グリッパヘッドとしての、本発明によるグリッパヘッドの一形態を示す斜視図。
【図７】図７は、図６による形態を上方から見た場合を示す平面図。
【図８】図８は、図６の形態をＢ−Ｂに沿って見た場合を示す断面図であり、グリッパヘッドは杼口の中にあり、糸クランプ部は開放されている。
【図９】図９は、図６による形態を示す断面図であり、グリッパヘッドはマシンセンタにあり、バルブはバルブ開口装置によって開放されており、糸クランプ部は閉鎖されている。
【図１０】図１０は、図６の形態を示す断面図であり、グリッパヘッドは杼口の外側の位置にあり、制御装置があり、糸クランプ部は開放されている。
【図１１】図１１は、その他のバルブ装置を有する引き渡し用グリッパヘッドからなるさらなる形態を示す断面図であり、引き渡し用グリッパヘッドは糸のピックアップの外側の位置にあり、糸クランプ部は閉鎖されている。
【図１２】図１２は、図１１による形態のさらなる断面図であり、引き渡し用グリッパヘッドは受け取り用グリッパヘッドへの移送の際にマシンセンタにあり、アクチュエータがバルブを開放し、リターンスプリングが糸クランプ部を開放する。
【発明を実施するための形態】
【００３９】
図１乃至３は、引き渡し用グリッパヘッド１としての、本発明によるグリッパヘッドの第１の形態の様々な図を示している。引き渡し用グリッパヘッド１は、杼口の外側で緯糸２を取り、そして、緯糸２をマシンセンタ（機械中心点）へ移送する。引き渡し用グリッパヘッド１は、Ｕ字状の部材からなるベース体を含んでいる。Ｕ字状の部材をグリッパロッドまたはレピアに固定するため、例えば、複数の穴が、ベース体の一端に設けられている。これらの穴は、ねじ留め接続のために用いられる。糸クランプ部３の静止クランプ部分４並びに緯糸２のためのガイド形状部が、ベース体の他端に配置されている。緯糸２を取るとき、緯糸の一部分またはセグメントが、糸クランプ部３とガイド形状部との間に形成される。糸クランプ部３の可動クランプ部分５は、２つのレバーアームを有するクランプレバーとして構成されている。可動クランプ部分５をベース体に回転可能に支持するための回転軸が、２つのレバーアームの間に配置されている。クランプジョーが、既知の方法で可動クランプ部分５の前側のレバーアームに取り付けられており、前側のレバーアームは、グリッパ先端部または先端に近接して存在している。緯糸のタイプによっては、クランプジョーが存在しないという形態も当然に可能である。可動クランプ部分５を第１中空体６に接続するための接触面が、可動クランプ部分５の後側のレバーアーム上に配置されており、後側のレバーアームは、グリッパ先端部とは反対側にある。この第１中空体６は、引き渡し用グリッパヘッド１のベース体上に取り付けられた拡大可能なベローズとして構成されている。
【００４０】
可動クランプ部分５と静止クランプ部分４との間に緯糸２をクランプするため、可動クランプ部分５は、その回転軸の周りで時計回りに回転させられる。このことは、可動クランプ部分５のグリッパ先端部とは反対側にあるレバーアーム上のベローズ６から作用する力によって生じる。
【００４１】
緯糸２をグリッパ製織機の杼口の中に搬送する間、緯糸２は、糸クランプ部３および上述のガイド形状部において引き渡し用グリッパヘッド１に保持されている。引き渡し用グリッパヘッド１の先端部に向かって開放されているガイド形状部は、グリッパの移動の間、杼口を介してカバーレバー１５によって先端部に対して覆われている。この場合、杼口において引き渡し用グリッパヘッド１の走行方向に直交するよう杼口において延びる経糸が、望ましくない方法でガイド形状部によって掴まれる。しかしながら、挿入されるべき緯糸２が杼口の外側で引き渡し用グリッパヘッド１の位置で所望の方法でガイド形状部によって掴まれ得るよう、カバーレバー１５がベース体に回転可能に支持されている。ここで示す例示的な形態において、回転軸は、可動クランプ部分５の回転軸に一致している。可動クランプ部分５およびカバーレバー１５は、可動クランプ部分５の回転運動がカバーレバー１５の回転運動をも引き起こすよう、互いに接続されている。
【００４２】
リターン手段として作用するリターンスプリング７の上端は、カバーレバー１５と、グリッパ先端部とは反対側にある可動クランプ部分５のレバーアームとの間で、接続ウェブに固定されている。リターンスプリング７の下端は、引き渡し用グリッパヘッド１のベース体に取り付けられている。リターンスプリング７には、引っ張りで予め応力がかけられており、このため可動クランプ部分５は、カバーレバー１５とともに反時計回りに回転させられ、これによって、さらなる力の影響無しで、糸クランプ部３が開放される。糸クランプ部３は、ベローズ６から可動クランプ部分５へ作用するクランプ部分力が糸クランプ部３にリターンスプリング７のスプリング力よりも大きなトルクを及ぼすときにのみ、閉鎖される。
【００４３】
本実施の形態において、拡大可能なベローズ６は、グリッパ先端部側にある引き渡し用グリッパヘッド１の前側の半分に取り付けられている。その上端において、このベローズ６は、可動クランプ部分５に対する接触面を備えている。下端は、引き渡し用グリッパヘッド１のベース体に固定されており、また下端は、加圧されたエア開口部を備えており、このエア開口部を介して、加圧されたエアがベローズ６の中に導入され得る。加圧エアの導入により、ベローズ６に内圧が生成され、この内圧が、ベローズ６の体積の拡大を導く。この体積の拡大は、クランプレバーとして構成された可動クランプ部分５のレバーアームに、ベローズ６から及ぼされるクランプ部分力を生じさせる。
【００４４】
本実施の形態において、加圧されたエアのラインが、加圧エアを第１のベローズ６に導くために設けられている。この加圧されたエアのラインは、第１のベローズ６と、本発明による第２中空体８とを接続する。この第２中空体８は同様に、拡大可能なベローズとして構成されている。この第２中空体８は、グリッパ先端部とは反対側にある引き渡し用グリッパヘッド１の後側の半分に取り付けられており、また同様に、上面側への接触面と、底面側の加圧されたエア開口部と、を備えている。
【００４５】
バルブ９が、第２のベローズ８の加圧されたエア開口部と加圧されたエアのラインとの間に設けられており、バルブを介して、開放状態のとき、２つの中空体６，８の間における接続が確立され、これによって、加圧エアは、一方の中空体から他方の中空体へ流れることができるようになる。
【００４６】
本実施の形態において、バルブ９は、一方向にのみ流す、または逆止弁として構成されており、このようなバルブ９は、バルブ本体と、閉鎖手段として作用するバルブスプリング１０と、からなっている。これらの構成要素は、加圧エアを導き、または運ぶバルブハウジングの中に配置されている。バルブハウジングは、引き渡し用グリッパヘッド１のベース体に接続されている。バルブ本体は、バルブハウジングの中で鉛直方向に動くことができる。バルブスプリング１０は、バルブスプリングの閉鎖力が、第２のベローズ８の下端において、バルブ本体の上側の結合面でバルブ本体を加圧エア開口部の出口に対して押圧し、これによってバルブ９が閉鎖状態に保持されるよう、取り付けられかつ予め応力がかけられている。
【００４７】
第２のベローズ８の上側の接触面は、制御レバー１１の一端に接続されている。また、制御レバー１１の他端は、引き渡し用グリッパヘッド１に支持されている。本実施の形態において、この支持は、引き渡し用グリッパヘッド１の前側の半分において回転軸を介して実現されている。上側において、制御レバー１１は制御面を備えており、この制御面によって、所定の力と、反時計回りの方向における回転運動とが、制御装置の構成要素によって、引き渡し用グリッパヘッド１の外側から制御レバー１１に加えられ得る。制御レバースプリングが、制御レバー１１の下側において、引き渡し用グリッパヘッド１のベース体に取り付けられている。予め圧力がかけられた状態において、この制御レバースプリングのスプリング力は、時計周り方向における制御レバー１１の回転運動を引き起こす。異なる実施形態において、制御レバースプリングは、制御レバー１１の端部を用いて第２中空体８が上側に上側接触面を押すよう、第２のベローズ８の中に配置されていてもよい。これによって、制御レバーおよび第２のベローズ８が、リセットされまたはリターンされる。このとき、上述のように可動クランプ部分５のためのリターン手段７の様々な異なる形態の可能性と同様に構成されたリセットまたはリターンのための手段を提供することも当然に考えらえる。
【００４８】
図３を参照すると、杼口の外側における引き渡し用グリッパヘッド１の位置が、制御エレメント、例えば制御装置の制御レール１４とともに示されている。そこには、引き渡し用グリッパヘッド１と制御レール１４との間の接触はまだ存在していない。
【００４９】
制御レバースプリングのスプリング力は、第２のベローズ８の共同での押圧に対抗するように作用する。第２のベローズ８は、内部において、ほぼ圧力の無い状態であり、または、周囲圧力を有している。第１のベローズ６はまた、圧力の無い状態であり、従って、リターンスプリング７および可動クランプ部分５とともに押圧されて、その体積が低減される。この状況において、糸クランプ部３およびカバーレバー１５が開放される。後に挿入されるべき緯糸２が、グリッパの動作方向を横断して、グリッパ製織機の典型的なセレクター装置によって、引き渡し用グリッパヘッド１に対して設けられている。その先端部に向かう方向における、すなわち杼口に向かう方向における引き渡し用グリッパヘッド１の前進動作の際、提供された緯糸２が、糸クランプ部３およびガイド形状部によって把持される。糸クランプ部３は、このとき閉鎖されている必要がある。
【００５０】
このことは、図４に示されている。杼口に向かう方向におけるその前進動作において、引き渡し用グリッパヘッド１は、制御装置の制御レール１４の動作範囲に至る。制御レール１４は、鉛直方向において下方に動かされる。このことのため、図示しない駆動部が設けられており、この駆動部は、例えば、カムディスクと、カムディスク上で導かれるローラーレバーと、からなっている。カムディスクは、製織機のメインの駆動部によって駆動される。
【００５１】
カムディスクがその独自のモーターによって駆動されるという構成も当然に考えられる。ローラーレバー上のレバーアームを変化させることにより、並びに、例えば細長状の孔を介して制御レール１４を固定することにより、グリッパヘッドに対する制御レール１４のストロークおよび位置が調整され得る。しかしながら、線形の駆動部および空気圧シリンダーを有する構成もまた可能であり、このような構成においては、自由にプログラムされた方法で、グリッパヘッドに向かう方向において制御レール１４を線形に配置可能である。
【００５２】
その鉛直方向における動作の間、制御装置の制御レール１４は、制御レバー１１に当接するようになり、この制御レバーを介して、制御レール１４が第２のベローズ８をともに押圧する。ベローズ８の体積が低減され、またその中に存在するエアが圧縮される。ベローズ８において、増大された内圧が生じる。所定の内圧を超えるとき、バルブ本体が、バルブスプリング力に逆らって下方に押圧され、バルブ９が開放する。これによって、圧縮されたエアが、加圧されたエアのラインを介して、第１のベローズ６へと案内されまたは導かれる。この結果、第１のベローズ６が、増大した内圧に曝されるようになり、その体積が拡大する。そして、十分な内圧によって、クランプ部分力が大きくなり、これによって、可動クランプ部分５およびカバーレバー１５がリターンスプリング７のスプリング力に逆らって動かされる。このことにより、糸クランプ部３が閉鎖し、また糸クランプ部３が緯糸２をクランプする。
【００５３】
その後、引き渡し用グリッパヘッド１が、経糸によって形成された杼口を通ってグリッパ製織機のマシンセンタへ既知の方法によって動かされる。そこでは、糸クランプ部３は、緯糸２が受け取り用グリッパヘッド１０１へ移送され得るよう、開放されている必要がある。
【００５４】
この工程は、図５に示されている。図示されている、本発明によるグリッパヘッド（１，１０１）を備えるグリッパ製織機は、電磁気的なアクチュエータ１３の作動のためのバルブ開口装置１２を備えている。そのようなアクチュエータ１３の第１のものが、図５において、引き渡し用グリッパヘッド１の下方に示されている。第２のアクチュエータ１１３が、同様に、後述する受け取り用グリッパヘッド１０１の動作のために、受け取り用グリッパヘッド１０１の下方に取り付けられている。
【００５５】
経糸が、グリッパヘッドの底側とグリッパの走行経路との間を介してダメージ無く導かれ得るまたは案内され得るよう、アクチュエータ１３，１１３は、グリッパヘッド１，１０１の走行経路の下方でマシンセンタに近接して配置されており、また、走行経路に一体化されている。グリッパヘッドの動作方向において、アクチュエータ１３，１１３の構成は、引き渡し用グリッパヘッド１と受け取り用グリッパヘッド１０１との間における糸の移送の機能が確実にまたは高い信頼性で実行され得るよう、構造的に選択されている。
【００５６】
図５においては、マシンセンタの領域における動作状態にある引き渡し用グリッパヘッド１が、第１のアクチュエータ１３の位置に到達したことが示されている。バルブ開口装置１２の制御パルスによって、アクチュエータ１３は、磁気的なアクチュエータ力が非接触で引き渡し用グリッパヘッド１のバルブ９に作用するよう、作動する。これによって、バルブ９が開放される。リターンスプリング７のスプリング力が、第１のベローズ６をともに押圧する。圧縮されたエアが、バルブ９を介して第２のベローズ８の中へ流れ、そして糸クランプ部３が開放する。カバーレバー１５が同時に上方へ動くまたは旋回するので、緯糸２は自由な状態にあり、緯糸２は、受け取り用グリッパヘッド１０１によって把持され、さらに搬送され得る。
【００５７】
本発明によるグリッパヘッドの第２の形態の構造、すなわち受け取り用グリッパヘッド１０１の構造が、図６乃至図８に示されている。
【００５８】
グリッパ先端部の反対側にあるその後側の半分において、受け取り用グリッパヘッド１０１は、貫通した固定用孔を有するＵ字状の形状を備えている。前側の半分においては、しかしながら、受け取り用グリッパヘッド１０１は、糸クランプ部１０３を有する単一の先端部または先端を備えている。ガイド形状部およびカバーレバー１５は存在していない。なぜなら、緯糸のセクションが受け取り用グリッパヘッド１０１に形成される必要がないからである。原則として、受け取り用グリッパヘッド１０１は、引き渡し用グリッパヘッド１と同様に構成されているが、しかしながら、糸クランプ部１０３はリターンスプリング１０７によって閉鎖され、また糸クランプ部１０３は、可動クランプ部分１０５の作動またはアクチュエーションのための、第１の拡大可能なベローズ１０６における増大された内圧によって開放される。可動クランプ部分１０５は、フォーク状の形状を有しており、このフォーク状の形状によって、可動クランプ部分１０５が横方向において、グリッパ先端部を、静止クランプ部分１０４とともに包囲し、または囲む。これによって、静止クランプ部分１０４が、グリッパ先端部の反対側にあるホック先端部または先端の底側に配置されるようになる。糸クランプ部１０３は、可動クランプ部分１０５の上方に向かう動作によって閉鎖する。
【００５９】
制御レバー１１もまた、グリッパ先端部に面している前側の半分において、フォーク状の形状で構成されており、一方、制御レバー１１は、後側の半分に制御面を備えている。
【００６０】
受け取り用グリッパヘッド１０１において、第１中空体１０６および第２中空体１０８、並びにバルブ１０９およびリターンスプリング１０７は、引き渡し用グリッパヘッド１の場合と同様に配置されている。
【００６１】
図８において、受け取り用グリッパヘッド１０１が、開放された糸クランプ部１０３とともに示されている。この場合、第１のベローズ１０６が内圧の下にある。バルブスプリング１１０を有するバルブ１０９は閉鎖されている。
【００６２】
受け取り用グリッパヘッド１から次の緯糸２を受け取るため、開放された糸クランプ部１０３によって、受け取り用グリッパヘッド１０１が杼口の中へ移動して糸移送位置へ動く。
【００６３】
図９は、緯糸２の移送のため、バルブ１０９が、受け取り用グリッパヘッド１０１の下方に取り付けられた第２の電磁気的なアクチュエータ１１３によって開放されているのを示している。第１のベローズ６において圧縮されたエアが、加圧されたエアのラインおよびバルブ１０９を介して、第２の拡大可能なベローズ８の中へ逃げる。可動クランプ部分１０５は、リターンスプリング１０７によって閉鎖される。緯糸２はこのとき、受け取り用グリッパヘッド１０１の糸クランプ部１０３によってクランプされる。受け取り用グリッパヘッド１０１はこのとき、糸クランプ部１０３とともに杼口から出てくる。
【００６４】
杼口の外側において、受け取り用グリッパヘッド１０１が、さらなる制御装置のワーク領域またはワーク範囲に至る。さらなる制御装置は、引き渡し用グリッパヘッド１の制御装置と同様に構成されたものである。このことは、図１０に示されている。増大された内圧が、制御レバー１１１を介して、制御レール１１４によって、第２中空体１０８のベローズにおいて生成される。増大された内圧を介して、バルブ１０９が開放され、そして、圧縮されたエアが第１のベローズ６の中へ流れる。このことは、糸クランプ部１０３が開放されること、および、緯糸２が解放されることを引き起こす。
【００６５】
次に、緯糸２が、グリッパ製織機の製織用筬装置によって、織布の端部に対して筬打ちされる。また、緯糸の挿入のための上述の工程が再び始まる。
【００６６】
本発明によるグリッパヘッドの第３の形態が、引き渡し用グリッパヘッド２０１として、図１１および図１２に示されている。ここでは、バルブ２０９が、第１のベローズ２０６の下方であって、第２のベローズ２０８の下方ではない場所に取り付けられている。図１１および図１２による構成は、結果として、バルブ２０９に対して、逆転した作動または内圧の効果的な方向が２つの中空体２０６，２０８において生じる、ということを有している。この第３の形態においては、第１のベローズ２０８における増大された内圧が、バルブ２０９におけるリターン力に対抗して作用する。この相違を除いて、機能的な動作は、第１の形態の場合と同様である。しかしながら、杼口の外側の引き渡し用グリッパヘッド２０１の位置において糸クランプ部２０３を閉鎖するため、さらなるアクチュエータ２１３が必要である。なぜなら、この構成におけるバルブ２０９は第２のベローズ２０８における過剰な圧力によっては開放され得ないからである。
【００６７】
図１１は、弾性的に変形可能な第２のベローズ２０８における過剰な圧力が、制御レバー２１１およびその後の糸クランプ部２０３の閉鎖によって、糸のピックアップの間のアクチュエータ１３の動作を介して生成される様子を示している。図１２は、マシンセンタにおける、第３の形態による引き渡し用グリッパヘッド２０１の糸クランプ部２０３の開放を示している、アクチュエータ１３の動作による、および、マシンセンタにおけるリターンスプリング２０７の効果による。
【符号の説明】
【００６８】
１，１０１，２０１    グリッパヘッド
２                    緯糸
３，１０３，２０３    糸クランプ部
４，１０４，２０４    静止クランプ部分
５，１０５，２０５    可動クランプ部分
６，１０６．２０６    第１中空体
７，１０７，２０７    リターンスプリング
８，１０８．２０８    第２中空体
９，１０９，２０９    バルブ
１０，１１０          バルブスプリング
１１，１１１，２１１  制御レバー
１２                  バルブ開口装置
１３，１１３，２１３  アクチュエータ
１４，１１４          制御レール
１５                  カバーレバー
【図１】
0005694554.tif 000002
【図２】
0005694554.tif 000003
【図３】
0005694554.tif 000004
【図４】
0005694554.tif 000005
【図５】
0005694554.tif 000006
【図６】
0005694554.tif 000007
【図７】
0005694554.tif 000008
【図８】
0005694554.tif 000009
【図９】
0005694554.tif 000010
【図１０】
0005694554.tif 000011
【図１１】
0005694554.tif 000012
【図１２】
0005694554.tif 000013